(57)【要約】【課題】収納面積を必要とする通帳繰越装置に対して、同様の収納容量でも、小型で、かつエンドユーザ独自のデザインの通帳を発行することが可能であり、無駄を少なく使用できる通帳を発行する。【解決手段】通帳７’の表紙と中紙にデザイン（表の項目欄や罫線）を印字可能な印字処理装置２，３と、エンドユーザの科目の使用情報を管理し、過去の使用頻度に応じて総合口座通帳のような多科目通帳の科目ごとのページ割合を変える手段８を備えた通帳繰越装置において、通帳繰越時に過去の科目毎の利用状況から、例えば利用が無い科目のページ数は１ページにして、普通預金のページ数を増やすなど、エンドユーザ毎に通帳の構成を変えられる。【選択図】　　　　図２
2004094844.tif 000002
【特許請求の範囲】
【請求項１】
通帳の表紙に複数のデザインを、該通帳の中紙に表の項目欄や罫線を、それぞれ印字可能な印字処理装置と、
通帳繰越時に新規に発行する通帳の希望のページ数を問い合わせる表示手段と、
ページ数を入力させる入力手段と、
通帳繰越時にエンドユーザの科目毎の使用情報を判別し、過去の使用頻度に応じて総合口座通帳の多科目通帳の科目ごとのページ割合を変える制御手段と
を具備したことを特徴とする通帳繰越装置。
【請求項２】
請求項１記載の通帳繰越装置において、
前記印字処理装置は、通帳の見開き頁に、該通帳が使用する頁毎の科目名を印刷した目次印刷を行うこと特徴とする通帳繰越装置。
【請求項３】
請求項１記載の通帳繰越装置において、
前記各手段に加えて、新規発行する通帳の中紙の枚数が旧通帳と同じであれば、１種類の通帳から複数種の通帳を発行するように指示する制御手段と、
オリジナルの表紙デザインの通帳を発行させるためのカメラを備えたことを特徴とする通帳繰越装置。
【請求項４】
通帳の繰越および新規発行、ならびに該通帳への印字を行う通帳繰越方法において、
通帳繰越装置に通帳が吸入されると、搬送途中で通帳識別情報、該通帳の科目構成、口座番号の処理に必要な情報、およびユーザの科目の使用状況に関する情報を読み取り、
上位ホストと交信して、取引処理する通帳か否かの照合、および印字する頁と内容を読み取り、
ユーザにより該通帳の繰越しが選択されると、吸入した通帳を装置内に退避し、新しい通帳を繰出し、
ユーザに対して新規通帳の中紙の枚数を選択させ、
先に読み取った過去の科目の使用状況に基づき、最適な通帳構成を算出して、選択された中紙に各科目毎の頁数を割り当て、
割り当てた通帳の頁数の割合を表示して、確認を求め、
同意が得られると、該通帳の表紙にデザインを印刷、および白紙の中紙に確認された割合の科目、頁数、項目および罫線をプレ印刷し、
同意が得られないときには、割り当てる頁数の増減を選択させてから、該通帳の表紙と中紙に印刷する
ことを特徴とする通帳繰越方法。
【請求項５】
請求項４記載の通帳繰越方法において、
前記通帳の中紙に各科目毎の頁数を割り当てる場合、全く印字の無い無地の頁を予定の頁数だけ割り当て、
該無地の頁には、今までに使用されていなかった科目を割り当てる必要が生じた場合、あるいは普通預金または定期預金に繰越しの必要が生じた場合に、割り当てることを特徴とする通帳繰越方法。
【発明の詳細な説明】
【０００１】
【発明の属する技術分野】
本発明は、銀行その他金融機関等において、通帳の繰越、発行、通帳への印字等の機能を有する通帳繰越装置に関する。
【０００２】
【従来の技術】
従来、通帳繰越装置においては、科目毎や、同じ科目でも表紙のデザインの異なる場合があり、新規や繰越しで通帳を発行する場合、通帳繰越装置で発行する通帳のデザインを顧客が自由に選択できるものであった。この技術は、特開平１１−１８５１０６号として提案されているが、通帳発行頻度に関わらず、ほぼ同体積の収納スペースを、通帳の種類分確保する必要があった。すなわち、通帳の収容スペースとして余分なスペースを必要とする。通帳の種類としては、定期預金口座、普通預金口座、総合口座、貯蓄積立預金口座、などがある。
【０００３】
また、例えば総合口座通帳のような多科目通帳はの複数の口座の内容が１冊に収まり便利なものであるが、その中の１つの口座のページが満行になれば、即繰越し手続きをし、新しい通帳にする必要があった。すなわち、１冊の通帳を有効に使用できないという問題がある。これを解消するために、従来、当該科目が満行となった場合、当該利用客の口座開設状況を確認し、未開設の科目がある場合、満行となった当該科目の記帳情報を未開設科目のページに記帳し、当該科目の記帳エリアを増やし、煩わしい通帳の繰越し手続きの回数を減らすものがあった。この技術は、特許第００１９２６６６号として提案されているが、通帳が見難くなることは避けられない。
【０００４】
また、本発明と同様に無地通帳に科目レイアウトを印字する技術が、例えば特開平１０−２６９４０７号として提案されている。これは、新規通帳類収納部と、各科目通帳類の印刷画像データを格納する印刷データ格納部と、該印刷データ格納部から特定の科目通帳類の印刷画像データを読み出して新規通帳に印刷する印刷部とから構成されている。これにより、利用者が主として使用する科目のレイアウトに重点を置いて新規通帳にその科目レイアウトを印刷すればよいことになる。
しかしながら、無地の通帳に科目レイアウトを印刷する場合に、用意されている通帳の構成は固定されているため、従来のように未記帳のページを残して繰越しを行わなければならない。従って、通帳の有効利用の目的は果せない。
【０００５】
【発明が解決しようとする課題】
このように、従来の通帳繰越装置は、多くの収納面積を必要とし、かつ多種の通帳の発行をなくしたり、１冊の通帳の無駄な使用方法をなくして、有効利用することができなかった。
【０００６】
そこで、本発明の目的は、通帳繰越装置において多種の通帳の繰越発行をするために多くの収納面積を必要とした通帳繰越装置に対して、同様の収納容量でも、小型で、かつエンドユーザ独自のデザインの通帳を発行することが可能であり、無駄を少なく使用できる通帳を発行し、繰越可能な通帳繰越装置を提供することにある。
【０００７】
【課題を解決するための手段】
本発明の通帳繰越装置は、無地通帳に科目毎のバーコード、罫線や表紙のデザインを印字する手段を設けている。このため、科目やデザイン毎に通帳を分けてセットするのではなく、通帳の構成（中紙枚数、バーコード、磁気ストライプ）が同じであれば（表紙デザインのみが異なる場合）１種類の媒体から発行可能で、少ない種類の通帳で従来のと同じ種類数の通帳の発行に対処することができ、収納面積を減らせるため装置の小型化が可能である。
【０００８】
また、エンドユーザの科目の使用情報を管理し、過去の使用頻度に応じて総合口座通帳のような多科目通帳の科目ごとのページ割合を変えることで、エンドユーザ毎に通帳の構成の異なる通帳を発行でき、使用しないページを減らし、通帳の無駄を省くことが可能である。
また、全く無地のページを数ページ残しておくことによって、そのページを新規に開設した科目、もしくは、レイアウトをプレ印字した科目が満行になった場合に、その科目を割り当てて通帳の延命を行うなど、臨機応変に対応可能である。
【０００９】
【発明の実施の形態】
以下、本発明の実施例を、図面により詳細に説明する。
ここでは、冊子類等における表紙のデザインの印字も可能な通帳取扱い装置の代表例として、インクジェット方式とワイヤドット方式の両方を持つ通帳取扱い装置を用いた例について、図面を用いて詳細に説明する。なお、印字方式として、電子写真方式、サーマール印字方式等を用いた印字装置でも、本発明を適用可能である。
【００１０】
図１は、本発明の一実施例を示す通帳繰越装置の全体斜視図である。
通帳繰越装置で扱われる冊子等（以下、具体例として通帳）および印字装置を通帳繰越装置（以下、ＡＰＩＭ（Ａｕｔｏｍｔｉｃ　Ｐａｓｓｂｏｏｋ　Ｉｓｓｕｉｎｇ　Ｍａｃｈｉｎｅ）とも称する）２０に適用した場合を示し、図１では、通帳繰越装置２０の構成について説明する。
通帳繰越装置２０の接客面側に、操作の情報の表示および操作入力のための表示等を行う表示・入力部２１が設けられる。また、装置２０の中央部に、通帳処理を行う通帳取扱い口２２が配置されている。さらに、表示・入力部２１の右側に、エンドユーザ持ち込みの絵画、エンドユーザの顔写真取り込みのためのカメラ２３、その他、図示されてはいないが、通帳繰越装置２０を制御するための制御部（ホスト）や電源等が搭載されている。
【００１１】
図２は、図１の通帳繰越装置の断面説明図および制御部の詳細構成図である。
図２（ａ）では、通帳繰越装置２０の一例として、通帳取扱い装置が、インクジェット方式とワイヤドット方式の両方の印字装置を冊子類等（例えば、通帳）を印字する通帳プリンタ１に適用した場合を示しており、以下、その通帳プリンタ１の内部構造および動作について説明する。
通帳プリンタ１は、通帳繰越時に通帳７の記帳に使用する印字装置であり、２２は利用者が通帳７を通帳プリンタ１に挿入する際に使用する挿入口を示す。
【００１２】
通帳７を図の右方向あるいは左方向に搬送し、所定の印字位置に位置決めするための搬送ローラ５と、搬送ローラ５を駆動する搬送モータ６と、通帳繰越装置の制御部（ホスト）から信号を受け、搬送モータ６を制御する制御部８と、さらに従来印字していた内容（口座番号、科目、預金者名等）を印字する印字装置２（ワイヤドット方式）と、表紙のデザイン、その他のイメージの印字を行う印字装置３（インクジェット方式）と、バーコードリーダ９，１０とから構成されている。
【００１３】
図２（ｂ）では、通帳プリンタ１の制御部８の内部構成図である。
制御部８は、ＣＰＵ８２とメモリ８１と搬送モータ６を制御するための各種プログラムを格納するＲＯＭ８３を備えている。搬送モータ６を制御するための複数種の制御プログラムは、ＣＰＵ８２からパターンが指定されることにより、格納領域のアドレスにジャンプしてそのサブルーチンが順次読み出され、ＣＰＵ８２で実行される。実行されることにより、搬送モータ６はそれに従って制御されることで、搬送ローラ５が指定された回転速度と回転数だけ動作し、各プリンタ２，３やバーコードリーダ９，１０の位置で停止する。
【００１４】
図３は、本発明における通帳発行までの動作の流れを示すフローチャートである。
まず、通帳取扱い口２２から吸入された通帳７は、搬送モ−タ６により駆動された搬送ローラ５によって、通帳プリンタ１の装置の奥に向かって搬送される（ステップ１０１）。搬送途中で通帳識別情報、通帳の科目構成の情報、口座番号等の処理に必要な情報などを通帳から読取り、その後、上位ホストと交信し、取引処理すべき通帳かどうかの照合、および、取引処理に必要な情報、例えば、通帳に印字する内容、印字する頁、記録すべきマグネチックストライプ上の情報等の受取りを行う（ステップ１０２）。
【００１５】
操作者が通帳７の繰越を選択した場合は、吸入した通帳７を装置内に待避し、装置下部から新しい通帳７’を繰出し、通帳プリンタ１に取込んだ後、印字処理を開始する（ステップ１０３）。なお、図２（ａ）において、吸入した通帳７を待避する場合には、右側の挿入口２２から左側の終端口まで搬送して、一旦下方の退避場所に排出した後、下方の別の通帳格納部から取り出して左側終端口から搬送路に取り込み、搬送ローラ５により右側に搬送される。
【００１６】
以下の実施例では、１つの通帳に複数の科目（普通預金、定期預金、カード積立）を有する総合口座通帳を繰越す場合を例にして、本発明の実施例を説明する。
通帳を取込むと、装置はまずバーコードリーダ９，１０によりマグネチックストライプからエンドユーザを識別し、通帳を繰越すために必要な情報を収集する。次に、旧通帳の空きページがあるか否かを判別する（ステップ１０３）。
空きページがない場合には、エンドユーザに通帳の中紙枚数の選択を促す（ステップ１０５）。本発明の装置では、プレ印字をしていない通帳を使用し、新しい科目を開設する時に通帳に当該科目を印字するページを用意可能なため、未開設の科目のページを用意しておく必要が無く、エンドユーザが自由に通帳の構成を決めることが可能であって、通帳の中紙の枚数も選択可能である。例えば、入金、出金回数の多いエンドユーザは、中紙の枚数を多く選択し（例えば、２０枚〜５０枚）、入出金回数が少ないエンドユーザは、中紙の枚数を少なく選択する（例えば、１０枚〜１５枚）。
【００１７】
次に、過去の科目の使用頻度から選択された中紙枚数に各科目のページを割り当て、通帳の構成を作成する（ステップ１０６）。例えば、この通帳の繰越しを実施したエンドユーザの通帳が、プレ印字で、普通預金６ページ、定期預金４ページ、カード積立４ページと構成されているのに対し、実際に記帳したページが、普通預金６ページ、定期預金２ぺージ、カード積立０ページで、普通預金で繰越しが発生したとする。
この場合従来では、１４ページの通帳のうち６ページが無駄になっていたことが分かる。
【００１８】
なお、科目に割当てる頁数の算出方法は、通常は、磁気ストライプ（ＭＳ）情報をリードすることにより、エンドユーザの科目の使用状況を判別することができる。なお、通帳の使用経過により、磁気ストライプ情報がリードできなかったときには、口座開設情報をホスト側に確認することにより、科目に割当てた頁数などの最初の情報を知ることもできる。これらを基に、新しく発行する通帳の科目に割当てる頁数を算出する。
【００１９】
本発明では、これらの情報（磁気ストライプ情報または口座開設情報）をもとに通帳の構成を作成する。判断を行うアルゴリズムの例としては、使用が全く無かった科目は削除、普通預金以外の科目で利用のあった科目については同数、この例の場合２ページを用意し、残りのページを普通預金に割り当てる。この時、本発明の装置では、全く印字の無い無地のページを４ページ用意する。このページには、例えば、今まで使用の無かったカード積立を開設する必要が出た場合、もしくは普通預金、定期預金に繰越しの必要が出た場合に割り当てる。この場合、普通預金８ページ、定期預金２ページ、無地ページを４ページという通帳構成となる。
【００２０】
また、中紙枚数の異なる通帳が選択された場合には、算出したページ数に通帳のページ数の比率を掛ける。
１０ページの通帳が選択された場合、通帳のページ数の比率は０．７（１０／１４）であり、比率を掛けたページ数を切り上げて、無地のページで調整を行うとすると、普通預金が６ページ、定期預金が２ページ、残りは２ページであるので、無地のページを２ページとする。このように通帳の構成を作成する。
作成した構成を過去の使用実績から算出した推奨通帳構成として、表示・入力部２１に表示し、ユーザに確認を求める（ステップ１０７）。
【００２１】
ユーザの同意が得られた場合は、表紙の印字に移行する。同意が得られなかった場合は、通帳の構成の修正を行う操作画面を表示する。調整する科目を選択し、＋，−，のボタンを押し（表示・入力部２１の操作）、割り当てるページ数を増減させ、調整する。勿論、未開設の科目を新規に追加することも可能である（ステップ１０８）。
【００２２】
次に、通帳の表紙のデザインの印字の準備を行う。最近では、エンドユーザへのサービス向上のため、同じ総合口座通帳でも表紙のデザインが異なる通帳を用いている場合がある。そこで、オリジナル通帳を作成するか否かをエンドユーザに問い合わせる。オリジナル通帳でない異なるデザインを選択する場合、表紙デザインのみが異なる通帳を数種類装置内に収納しておくのではなく、本装置では、表紙が無地の通帳に所定の表紙デザインの印字を行う。この実施例の場合、総合口座用に用意された通帳の表紙デザインを装置内の記憶装置から読み取り（ステップ１０９）、印字を行う。
【００２３】
エンドユーザがオリジナル通帳作成に同意した場合には、表紙デザインの印字も可能であることから、エンドユーザからオリジナル通帳を作成するようなことも可能である。そのときには、装置のカメラ２３を起動し、イメージをデータとして取り込む（ステップ１１０）。エンドユーザに取込んだイメージの確認をして貰い、必要であれば取り直しを行う。取込んだイメージを使用する場合は、オリジナル通帳用の表紙デザインと取込んだイメージとの合成を行い（ステップ１１１）、完成通帳イメージを表示・入力部２１に表示し、エンドユーザに確認してもらった後（ステップ１１２）、印字装置３で表紙デザインの印字を行う（ステップ１１４）。次に、各科目毎のレイアウトの印字を行う。作成した通帳の構成に従い、各ページのレイアウトの印字を印字装置３で行う（ステップ１１５）。
【００２４】
まず、目次の印刷を行い（ステップ１４８）。次に、ワイヤドット方式の印字装置２で表紙のデザインや各ページのレイアウトの印字済の通帳を使用していた時と同じ印字内容の印字を行う（ステップ１４９）（図４参照）。印字終了後、新通帳、旧通帳の順で通帳取扱い口２２より発行する（ステップ１５０）。
【００２５】
図３のステップ１０３に戻り、通帳のいずれかの科目が満行になり繰越しが発生した場合の処理について説明する。
まず、通帳取扱い口２２から吸入された通帳７の無地ページが空いているか確認する。空いていれば、満行になった科目のレイアウト印字とそのページを追加した情報をマグネティックストライプに追記する。この時、無地ページを残すかどうかの確認を行う（ステップ１２０）。残す場合には、何枚残すかを選択してもらい、残りのページには繰越しの対象となった科目のレイアウト印字を行う（ステップ１１５）。一方、無地ページを残さないとの選択があった場合には、レイアウトを選択する操作画面を表示し、残りページの構成を決め（ステップ１２１）、それに従ってページのレイアウトの印字を行う（ステップ１１５）。
新規に科目を開設する場合にも、同様の処理を行いレイアウトの印字を行う。
【００２６】
本発明の装置によれば、無地ページの割合を増やし、普通預金以外の科目は必要が生じた時のみに当該科目のレイアウトの印字をするようにする。といった使い方も可能である。この場合、例えば普通預金のプレ印字が８ページ、無地のページが６ページ用意された通帳において、普通預金が７ページまで印字された所で、定期預金の預け入れがあった場合、普通預金のページの後に定期預金のページが来ることになる。その後、普通預金のページが満行になれば、定期預金をまたいで、普通預金の科目のページが来ることになる。さらに、他の科目が開設されることとなれば、エンドユーザーにとって見にくい通帳になり得る。そこで、通帳の見開きに、その通帳の目次を印字する（ステップ１４８）。これにより、エンドユーザは所望するページを即座に開くことが可能となる。
【００２７】
図４は、本発明における通帳の表紙の印字内容を示す図である。
図３のフローにおいて、旧通帳を退避させた後、新通帳を装置に収納した時の通帳は白紙である（最上段に示す）。次に、オリジナル通帳を作成するか否かをエンドユーザに問い合わせた後、表紙のデザイン印字を印字装置３で行う前に、表示・入力部２１にガイダンスを表示することで、カメラ２３から取込んだイメージ４６を挿入するか、あるいは取込みデザイン無しの通常デザイン４７にするかを選択してもらう。カメラのイメージ４６を希望したエンドユーザに対しては、イメージ４６を挿入した表紙デザインに、店番号、口座番号、顧客名４８を印字して排出する。また、通常のデザイン４７の表紙を希望したエンドユーザに対しては、通常の表紙デザイン４７に、店番号、口座番号、顧客名４８を印字して排出する。なお、イメージ４６は、通帳繰越装置のカメラ２３の前方に挿入したいデザイン用紙をエンドユーザが接触させることにより、カメラ２３から取込むことができる。
【００２８】
図５は、本発明における中紙の印字内容を示す図である。
図３のフローにおいて、エンドユーザに通帳の中紙の枚数を選択してもらうと（ステップ１０５）、図５（ａ）に示すように白紙の中紙が取り出され、最適な通帳構成が算出される（ステップ１０６）。通帳構成が算出されると、図５（ｂ）に示すように、通帳の見開きにその通帳の目次４５が印字される（ステップ１４８）。ここでは、１頁〜８頁が普通預金、９頁と１０頁が定期預金、１１頁が普通預金、１２頁〜１４頁が無地ページであることを示す目次が印字されている▲１▼参照。
【００２９】
次に、図５（ｃ）に示すように、通帳の中紙に罫線等のプレ印刷を行う。すなわち、バーコードのプレ印刷４０、科目名プレ印刷４１、頁番号プレ印刷４２、記録項目プレ印刷４３、および罫線プレ印刷４４が印字装置２で行われる。
印刷される頁数は、▲１▼の目次に示す枚数だけ同一印刷が行われる。ここでは、科目名プレ印刷４２の普通預金の同一パターンが８枚分印刷され、次に科目名プレ印刷４２の定期預金の同一パターンが２枚分印刷され、最後に、普通預金が１枚分印刷され、残りは白紙のままにされる。
【００３０】
なお、実施例では、レイアウト全体の印刷による科目割当てを行っているが、例えば、識別コードを印刷する場合などにも、種類毎に割当てを行うこともできる。例えば、図５（ｃ）のバーコードのプレ印刷４０で識別コードが印刷されるが、この識別コードで最重要顧客、重要顧客、通常顧客の３段階に区別して通帳を取り扱うこともできる。これらの区別は、例えば、定期預金の総額が何１００万円以上が最重要顧客、何１０万円以上が重要顧客、それ以下が通常顧客と分類することができる。また、最近の金融機関では、外貨預金、外貨投信、国内預金、国内投信、株式投資、国債、その他の債券投資、等の幅広い種類を扱っており、顧客層についても、第１種は外貨が多い顧客、第２種は株式投資が多い顧客、第３種は国内預金が多い顧客、などに分類することもできる。
【００３１】
【発明の効果】
以上説明したように、本発明によれば、装置にストックする通帳が減ることで装置の小型化が可能である。また、そのことによる装置の低価格化は言うまでもない。また、科目ごとのページ枚数をエンドユーザ毎に変えることで、通帳の繰越回数を減らし、通帳の無駄を減らすことができる。また、未開設科目のページを他の科目に利用することで、通帳を最後のページまで使用することが可能である。
【００３２】
また、ストックする通帳の種類が減ることで、１種類の通帳の収納量を増やすことができ、また、使用頻度の少ない通帳と多い通帳を同じ無地通帳から作成することで、通帳の消費を均一化することができ、それによっても通帳の補充回数を減少させることができる。
また、表紙のデザインを印字する応用で、エンドユーザの顔等を表紙に印字することにより、顧客への新しいサービスが可能となる。
【図面の簡単な説明】
【図１】本発明の一実施例を示す通帳繰越装置の全体斜視図である。
【図２】図１における通帳繰越装置の要部断面図および制御部の詳細ブロック図である。
【図３】本発明の一実施例を示す通帳発行迄の動作の流れを示すフローチャートである。
【図４】本発明における通帳表紙の印字内容を示す説明図である。
【図５】本発明における通帳中紙の印字内容を示す説明図である。
【符号の説明】
１…通帳プリンタ、２…印字装置（ワイヤドット方式）、
３…印字装置３（インクジェット方式）、５…搬送ローラ、６…搬送モータ、
７…旧通帳、７’…新通帳、８…制御部、２０…通帳繰越装置、
２１…表示・入力部、２２…通帳取扱い口、２３…カメラ、
４０…バーコードのプレ印刷、４１…科目名プレ印刷、
４２…頁番号プレ印刷、４３…記帳項目プレ印刷、４５…目次の印字例、
４６…カメラから取込んだイメージ、４７…通帳の表紙のデザイン画、
４８…店番号等の印字。
【図１】
2004094844.tif 000003
【図２】
2004094844.tif 000004
【図３】
2004094844.tif 000005
【図４】
2004094844.tif 000006
【図５】
2004094844.tif 000007